(57)【要約】【課題】テント本体内部での結露発生を抑制する。【解決手段】合成繊維または天然繊維で構成された薄い柔軟性のある生地に、コーティング加工による耐水圧・透湿加工素材のシートを一体に接合縫着した耐水・透湿層シートでテント本体生地とし、このテント本体生地を用いて、テント底部３を除くテント前後面部１ａおよびテント左右側面部１ｂを形成する。テント底部周縁部に帯状の縁まわりテープを一体に介在させる。【選択図】図１
2006207350.tif 000002
【特許請求の範囲】
【請求項１】
合成繊維または天然繊維で織成された薄い柔軟性のある生地に、コーティング加工による耐水圧・透湿加工素材のシートを接合して一体にした耐水・透湿層シートでテント本体生地を形成し、
該テント本体生地を張設してテント前後面部及びテント左右側面部をテント底部まで延出し、該テント前後面部および該テント左右側面部の下端縁部にテント底部を配設し、当該両接合部に沿って帯状の縁まわりテープを介在させると共に、
該帯状の縁まわりテープが突き合う四隅部にポール係止片を形成すると共にポール係止孔を穿設し、前記帯状の縁まわりテープを介在させた状態で前記テント前後面部及び前記テント左右側面部を前記テント底部に縫合または接着により一体に接合すると共に、
該テント底部周縁部内側で前記テント前後面部および前記テント左右側面部並びに前記帯状の縁まわりテープとの前記底部内側を覆う位置に防水性の目止めテープを接合してなり、
前記ポール係止孔にテントポールを装着してテント本体を張設する張力で前記帯状の縁まわりテープを前記底部周縁部で緊張させることを特徴とするシングルドームテント。
【請求項２】
前記テント底部と前記テント前後面部および前記テント左右側面部との接合が、前記テント前後面部および前記テント左右側面部と、前記テント底部との重ね合せ部に厚手の織物地に防水加工を施した帯状の縁まわりテープを介在させた状態で前記各両端部を内側に折り曲げて重ね合わせ、前記テント前後面部および前記テント左右側面部に縫着及び／又は接着により一体に接合すると共に、前記テント前後面部および前記テント左右側面部と前記テント底部との接合部に沿って該テント底部の折り返し部に防水状の目止めテープを当接して接合させたことを特徴とする請求項１に記載のシングルドームテント。
【請求項３】
前記テント底部と前記テント前後面部および前記テント左右側面部との接合が、前記各両端部を重ね合せて突出させると共に、その重ね合せ部に厚手の織物地に防水加工を施した帯状の縁まわりテープ両端部を内側に折り返して額片を形成（バインダー加工）した断面略Ｕ字状に形成し、該縁まわりテープの額片を前記本体両端合せ部に沿って被着しこれを縫着及び／又は接着により一体に接合すると共するに、前記テント前後面部および前記テント左右側面部と、前記テント底部との接合内側部に沿って防水性の目止めテープを当接して接合させたことを特徴とする請求項１に記載のシングルドームテント。
【請求項４】
前記テント底部と前記テント前後面部および前記テント左右側面部との接合が、前記各両端部を重ね合せて突出させると共に、その重ね合せ部に厚手の織物地に防水加工を施した帯状の縁まわりテープテープテープ両端部を折り曲げて断面略Ｕ字状に形成し、この縁まわりテープを前記各両端合せ部に沿って被着しこれを縫着及び／又は接着により一体に接合すると共するに、前記テント前後面部および前記テント左右側面部と、前記テント底部との接合内側部に沿って防水性の目止めテープを当接して接合させたことを特徴とする請求項１に記載のシングルドームテント。
【発明の詳細な説明】
【技術分野】
【０００１】
本発明は、コーティング加工による耐水圧・透湿加工素材のテント本体生地を用いて、テント本体のテント前後面部およびテント左右側面部の裾部周辺に取り巻き形成されている幅広の帯状の底部立上り部（バスタブ）を構成しないことにより大きな結露の発生源をなくしたシングルドームテントに関する。
【背景技術】
【０００２】
登山、キャンプ等で使用される携帯用小型テントは、就寝、休憩などの他、例えば悪天候の際に、風雨を防いで人体を保護するために欠かせない用具である。この種のテントでは、携帯の便を図る上で、軽量かつコンパクト性が求められている。今日、この軽量化およびコンパクト化は、テント生地、ポール材質等のかなりの部分で達成されている。
【０００３】
ところで、このテントは、設営場所を選ばず、誰でも簡単に組み立てて設営することが要望される。テントの設営においては、迅速な組み立て、特に天候の急変など、緊急を要する場合には無駄な時間を費やさず、スピーディに組み立てられることが要望される。このため、テントが張り上がると同時に完成する自立式テントが好適である。
【０００４】
この自立式テントは、テントの緊張の仕方により３つの方式に大別される。１つは吊り下げ式テントと呼ばれ、テントは張設したポールからループなどの適当な支持要素を介して吊り下げた状態で張られる。他の１つは、ポール差し込み式テントと呼ばれ、テントの外周にポールが挿通される細いチューブ状の筒体が稜線に沿って備えられ、ポールがこのチューブ状の筒体を通ったときテントがポールの弾性で張られる外張り方式のものである。
【０００５】
さらに、別の１つは、ドライエッケン式と呼ばれるものである。緊張手段としてのロープによって本体のロープをポールに巻き込み半円形に沿って均等にポールとテントとが結ばれ、ロープの張力でテントが支えられ、理想的な設営ができるものである。ところで、多く野外用テントとして現在一般的に使用されるドーム型テント構成材は、ナイロン、ポリエステル等の合成繊維或いは綿を素材として薄く織成した生地に防水、撥水加工を施したものが使用されている。
【０００６】
このテント素材は、キャンプ設営場所での風雨、露、雪などを防ぎ、夏期または酷暑地域での使用において蒸れや汗ばみを防止し、冬期または酷寒地域での使用において高い保温効果を発揮するという、矛盾する要求がなされている。ドームテントとして現在市販されているテント素材はテント本体部が撥水加工され、テント本体底部並びにこれに続く幅広の帯状の立上り部（バスタブ）が防水加工された生地が使用される。このドームテントの上にさらに防水加工されたフライシートとの組み合わせが一般に普及している。
【０００７】
このテント生地は三層構造のもので、フライシート素材は耐水圧２０００ミリ、本体は撥水生地で、底部立上り部（バスタブ）は耐水圧３０００ミリとなっており、このようなコーティング防水素材を使用しているため、厚手の感があり、底部立上り部（バスタブ）が設けられているためテント内に結露が発生する。特に、テント外の外気温度が低い場合には、テント内部との温度差が大きくなりテント内面に細かい水滴が付着する結露現象が顕著となる。また、この結露現象は特に完全防水加工を施してある、底部シート並びにこれに続く底部立上り部（バスタブ）などに集中的に発生する。
【０００８】
この底部シート並びに底部立上り部（バスタブ）は、完全防水性の生地により底部から一体に連続するように取付られている。このため、この底部立上り部は、テント本体生地のテント左右側面部およびテント前後面部の裾部の一部をなし、この底部立上り部の上端部で前記テント本体生地に接合されている（例えば、特許文献１参照）。
【０００９】
図８は、このような従来の底部立上り部（バスタブ）が設けられたテントを張設した一例を示す斜視図である。このテントはポール差し込み式のドームテントであり、テント本体１１の稜線に沿って形成された細いチューブ状の筒部１３ａ、１３ｂに、２本のポール１２ａ、１２ｂを挿通して地面に設営される。
【００１０】
これらのポール１２ａ、１２ｂは、テント本体１１の頂部で交差するように各筒部１３ａ、１３ｂ内に挿通されている。また、各ポール１２ａ、１２ｂの各端部は、筒部１３ａ、１３ｂ下端部付近から外部へ露出され、テント本体１１下端の四隅に突設されたポール係止片１４のポール係止孔１４ａに挿入され、その張力で保持される。
【００１１】
この状態で、ポール１２ａ、１２ｂに弾性的な突っ張り力が発生し、この突っ張り力を受けてテント本体が緊張状態に立ち上げられ、テントの設営が可能となる。
【００１２】
このドームテントは、テント本体生地が防水加工を施したナイロン、テトロンなどの３層構造の合繊生地を加工したもので構成される。この場合、底部１５及び底部立上り部１７は、その防水加工を施した合繊生地（テント本体生地）のテント前後面部１６ａおよびテント左右側面部１６ｂの下端に連続する底部立ち上り部１７に、連続的に形成されている。
【００１３】
つまり、底部１５および底部立上り部１７は、例えば３層構造の完全防水性の合繊生地により容器型（バスタブ型）に形成され、これがテント前後面部１６ａ，１６ａおよびテント左右側面部１６ｂ，１６ｂの下端部に接着または縫合などの手段を介して接合されている。（特許第３３００６８９号公報）
【特許文献１】特許第３３００６８９号公報
【発明の開示】
【発明が解決しようとする課題】
【００１４】
しかしながら、従来の底部立上り部（バスタブ）１７を設けたテントは、テント本体生地のテント前後面部１６ａ，１６ａおよびテント左右側面部１６ｂ，１６ｂ自体には防水加工および蒸れ防止加工が施されているのに対し、これらに連続する底部立上り部１７および底部１５は完全防水処理が施されている。底部立上り部（バスタブ）１７の容量はテント全体の容積に対して約３０％以上占めている。
このため、テント内外の温度差によって、底部立上り部１７を中心に結露が顕著に発生するだけでなく、テント前後面部１６ａおよびテント左右側面部１６ｂの内面にも結露が発生する。
【００１５】
特に、底部立上り部１７と底部１５の境には縫合部や接着部がなく一体であるため、地面へとしっかり安定せず、常に緩やかな円弧状が連続する。このため、図９に示すように、テントを設営すると、底部１５から底部立上り部１７と地面の境が円弧部Ｐを形成することになり地面と底部の間に冷たい外風Ｓがその円弧部Ｐからテント底部１５の下面へ侵入し、底部立上り部１７（バスタブ）および底部１５が冷却されることになる。従って、この底部１５及び底部立上り部１７（バスタブ）の内面側においてもテント内部に占める底部立上がり部分の面積が大きいため、大きく結露の発生源になるという問題があった。
【００１６】
テント本体を合成繊維または天然繊維で織成された薄い柔軟性のある生地に、コーティング加工による耐水圧・透湿加工素材のシートを一体に接合した耐水・透湿層シートで形成してるので、従来の3層構造の生地より軽量となる。
【００１７】
また更に、図９に示すように、従来のテントは、テント四隅にポールを装着するポール係止片１４が取り付けられ、ポール係止片１４の先端にポール１２ｂ，１２ｂを係止するポール係止孔１４ａが設けられている。このためポール１２ｂ，１２ｂの先端を装着してテントを張設するので、テント隅部とポールを支持するポール係止片１４の間に隙間ができ、地面と接地するテントの底地部分が地面へしっかりと安定せず底回りが弱く、縫着部分がなく上部の方のみが頭が大きくて、強風には弱かった。土台の無い家の構造に似ている。すなわち、底部立上がり部は、約３０cm位の帯状にして風呂敷に布団を包んだようなふくらみで底部の形状が分からないような状態であるから、テント底部へ強風が当たるとテントが安定せず、テントの原型を保ち続けるのが不可能で風雨にも弱い。このため外風Ｓで、テント各側面部の底部立上り部（バスタブ）１７と共にテント隅部も立ち上り、この方向からも外風Ｓが侵入することになり、このため底部立上り部（バスタブ）１７および底部１５の結露が加速されることになる。
【００１８】
更に近年、テント本体生地として、米国のゴア社が開発したゴアテックスと呼ばれる合繊生地が広く使用されている。この合繊生地は、ゴアテックス・メンブレンと呼ばれる微細の特殊膜を繊維にフィルム加工した３層構造のナイロン素材からなる。このゴアテックスは、雨や雪などによる水滴の浸入を防ぎ、汗水の蒸気だけを外へ放出するという機能と、保温性を持つことができる。
【００１９】
しかし、この３層構造のナイロン素材（ゴアテックス）においても、保温性が良好であるため、底部立上り部が防水生地で形成されていると、その分テント内部に結露が発生することは避けられない。また、テント本体１１がナイロン生地やテトロン生地からなるものに比べて少々重くなっており、かつ、三層構造であることから嵩張るだけでなく、高価になるという問題があった。
【００２０】
本発明は、前記従来の問題を解決するものであり、底部を除くテント前後面部およびテント左右側面部の全体を、柔軟性がある生地に耐水・透湿層を一体に持つコーティング加工を施した素材シートをテント本体生地に使用すると共に、テントから底部立上り部（バスタブ）を取り払うことにより、テント本体内面での結露発生を抑制することができるテントを提供するものである。また、本発明は、結露発生の防止を、軽量で嵩張らず、しかも安価な素材を用いて実現できるテントを提供するものである。
【課題を解決するための手段】
【００２１】
本発明の請求項１の発明に係るシングルドームテントは、合成繊維または天然繊維で織成された薄い柔軟性のある生地に、コーティング加工による耐水圧・透湿加工素材のシートを接合して一体にした耐水・透湿層シートでテント本体生地を形成し、該テント本体生地を張設してテント前後面部及びテント左右側面部をテント底部まで延出し、該テント前後面部および該テント左右側面部の下端縁部にテント底部を配設し、当該両接合部に沿って帯状の縁まわりテープを介在させると共に、該帯状の縁まわりテープが突き合う四隅部にポール係止片を形成すると共にポール係止孔を穿設し、前記帯状の縁まわりテープを介在させた状態で前記テント前後面部及び前記テント左右側面部を前記テント底部に縫合または接着により一体に接合すると共に、該テント底部周縁部内側で前記テント前後面部および前記テント左右側面部並びに前記帯状の縁まわりテープと前記底部内側を覆う位置に防水性の目止めテープを接合してなり、前記ポール係止孔にテントポールを装着してテント本体を張設する張力で前記帯状の縁まわりテープを前記底部周縁部で緊張させることを特徴とする。
【００２２】
請求項１の発明によれば、テント本体生地が、合成繊維または天然繊維で織成された薄い柔軟性のある生地に、コーティング加工による耐水圧・透湿加工素材のシートを接合して一体にした耐水・透湿層シートを使用するので、耐水性、透湿性に富み、軽量なテント生地を構成することができる。
【００２３】
また、テント前後面部およびテント左右側面部の下端部と底部周辺部とが接合縫着する部位には、帯状の縁まわりテープが底部の周縁部でほぼ直線状底部の周縁部に内側に片上がりした周縁部線上に張設されるので、この縁まわりテープが張られると従来の底部立上り部が設けられたテントに形成される円弧部Ｐが生じない。この円弧部Ｐが生じないので、外風Ｓがテント底部に進入する機会が減少する。これによって、テント内外の温度差が極端に大きくなることを回避でき、結露の発生を押えることができる。
【００２４】
更に、テントの下端裾部周囲に取り巻き状の底部立上り部、すなわち完全防水部分が設けられていないので、テント本体が冷たい外風を受けた場合にも、テント内外の温度差が極端に大きくなることを回避でき、結露の発生を最大限に押えることができる。
【００２５】
更にまた、帯状の縁まわりテープを底部周縁部に装着することで、テント設営時のテントポールの緊張に対するテント本体生地が張りあがりテントを立体的に設営する。縁周りテープで底部の周縁部もともに補強されて、生地が伸びたり、歪んだりすることが無くなる。また、一方底部は地面の凹凸に対応するゆとりも付けられている。
【００２６】
従って、テント内面での結露発生を抑制できるだけでなく、底部上面周辺に置かれたザックや衣料等が結露した水滴に触れて濡れることを防止できる。また、テント前後面部およびテント左右側面部は完全防水ではないため、これらの内外温度差は大きくならず、これら各部における結露発生を抑制することができる。
【００２７】
また、テント四隅には、帯状の縁まわりテープが突き当たる位置にポールを係止するポール係止孔が穿設されているので、テント四隅のポール係止孔にポール先端を装着すると、縁まわりテープがポール係止孔間で緊張される。このため、設営地面とテント底部との隙間がほとんどなく、外風がテント底部に進入する機会が減少する。これによって、テント内外の温度差が極端に大きくなることを回避できる。
【００２８】
さらにまた、テント本体を張設する張力で前記帯状の縁まわりテープを緊張させるので、テント底部が設営地面から浮上するのを抑止し、外気が入るのを阻止するようになる。
テント本体を合成繊維または天然繊維で織成された薄い柔軟性のある生地に、コーティング加工による耐水圧・透湿加工素材のシートを一体に接合した耐水・透湿層シートで形成してるので、従来の3層構造の生地より軽量となる。
【００２９】
請求項２の発明に係るシングルドームテントは、前記テント底部と前記テント前後面部および前記テント左右側面部との接合が、前記テント前後面部および前記テント左右側面部と、前記テント底部との重ね合せ部に厚手の織物地に防水加工を施した帯状の縁まわりテープを介在させた状態で前記各両端部を内側に折り曲げて重ね合わせ、前記テント前後面部および前記テント左右側面部に縫着または接着により一体に接合すると共に、前記テント前後面部および前記テント左右側面部と前記テント底部との接合部に沿って該テント底部の折り返し部に防水状の目止めテープを当接して接合させたことを特徴とする。
【００３０】
請求項３の発明に係るシングルドームテントは、前記テント底部と前記テント前後面部および前記テント左右側面部との接合が、前記各両端部を重ね合せて突出させると共に、その重ね合せ部に厚手の織物地に防水加工を施した帯状の縁まわりテープ両端部を内側に折り返して額片を形成（バインダー加工）した断面略Ｕ字状に形成し、該縁まわりテープの額片を前記本体両端合せ部に沿って被着しこれを縫着または接着により一体に接合すると共するに、前記テント前後面部および前記テント左右側面部と、前記テント底部との接合内側部に沿って防水性の目止めテープを接合させたことを特徴とする。
【００３１】
請求項４の発明に係るシングルドームテントは、前記テント底部と前記テント前後面部および前記テント左右側面部との接合が、前記各両端部を重ね合せて突出させると共に、その重ね合せ部に厚手の織物地に防水加工を施した帯状の縁まわりテープテープテープ両端部を折り曲げて断面略Ｕ字状に形成し、この縁まわりテープを前記各両端合せ部に沿って被着しこれを縫着または接着により一体に接合すると共するに、前記テント前後面部および前記テント左右側面部と、前記テント底部との接合内側部に沿って防水性の目止めテープを接合させたことを特徴とする。
【００３２】
請求項２〜４の発明によれば、テントポールを用いてテントを設営した後は、帯状の縁まわりテープの突っ張り力で、テント底部がテントが設営される地面に接触させることができる。従って、冷たい外気がテント底部の下に侵入するのを回避でき、テント底部およびテント前後面部やテント左右側面部の下端付近でテント内外の温度差が大きくなることを防止できる。これによって、テント底部とテント前後面部およびテント左右側面部の下端付近でのテント内の結露発生を効果的に回避できる。
【００３３】
更に、テント前後面部およびテント左右側面部と、テント底部との接続部の接合内面部分に沿って防水性の目止めテープを当接させているので、接合部から水が侵入することがない。防水効果も十分に得られる。
【発明の効果】
【００３４】
本発明は、テント底部を除くテント前後面部およびテント左右側面部の全体を、合成繊維または天然繊維に耐水・透湿層を持つコーティング加工の素材シートで構成されているため、底部立上り部を形成する必要が無く、テント内外の温度差が大きくなるのを防止できる。すなわち、テント本体の生地の薄さと耐水度を考慮に入れて製作されているので、とくにテントの底地の部分は耐水度を保つようにするため、縫着部分を少なくしている。底地の部分はドーム型テントの構造として２本のポールの交差している４隅のみを縫着している。
また、テント設営時に、底部とテント前後面部およびテント左右側面部の境目に帯状の縁まわりテープを緊張させることで、設営地面とテント底部への外気の侵入を押えることができる。
従って、その温度差を原因とするテント前後面部やテント左右側面部の内面に結露が発生することを抑制することができる。これにより、テント内に置かれた衣料品などが水滴によって濡れることを防止できる。
テント本体を合成繊維または天然繊維で織成された薄い柔軟性のある生地に、コーティング加工による耐水圧・透湿加工素材のシートを一体に接合した耐水・透湿層シートで形成してるので、従来の3層構造の生地より軽量で、強度もあり安価である。
【発明を実施するための最良の形態】
【００３５】
以下、本発明の実施の形態を図について説明する。
図１は本発明の実施の形態に係るシングルドームテントの一例を示す斜視図、図２は図１に示すテント底部の平面説明図、図３は図１に示すポール係止孔と帯状の縁まわりテープの緊張関係を示す要部拡大説明図、図４〜５は本発明に係る帯状の縁まわりテープとテント底部の接合の一例を示す説明図、図６は本発明に係る帯状の縁まわりテープとテント底部の接合の他例を示す断面説明図、図７は本発明に係る帯状の縁まわりテープとテント底部の接合の他例を示す説明図である。
【００３６】
図１において、本発明に係るテントの全体は、テント本体１と、このテント本体１外の上部において互いに交差するように配置され、テント本体１を立ち上げた状態にて支持する２本のポール２ａ、２ｂと、テント前後面部１ａ，１ａおよびテント左右側面部１ｂ，１ｂとテント底部３なるテント本体と、このテント底部３の周縁部に介在する帯状の縁まわりテープ４などから構成されている。図中、５はテント本体の四隅に形設されるテントポール差しのポール係止片を示す。
【００３７】
このテント本体１は、上面の対角線上（テント前後面部１ａとテント左右側面部１ｂとの縫い目に沿った線上または稜線上）に、複数個のロープ支持部材６が略等間隔に取り付けられている。前記対角線上の複数箇所に設けられたロープ支持部材６には、ロープ７が摺動可能に支持されている。このロープ７の複数部分が前記ポール２ａ、２ｂの上部を跨ぐように、テント稜線に沿って設けられているロープ支持部材６に引っ掛けられることで、ポール２ａ、２ｂに対しテント本体１が、図１に示すように支持される。図中、８はテント出入り口の開閉シートを示す。
【００３８】
テント本体１は、図１及び図２に示すように、合成繊維または天然繊維で織成された薄い柔軟性のある生地に、耐水・透湿層シートを一体に接合縫着してコーティング加工の素材シートとしたテント本体生地で形成される。このテント本体生地を張設してテント前後面部１ａ，１ａ及びテント左右側面部１ｂ，１ｂを形成する。このテント前後面部１ａ，１ａおよびテント左右側面部１ｂ，１ｂの下端部には角形状のテント底部３を配設する。本発明において、このテント前後面部１ａ，１ａおよびテント左右側面部１ｂ，１ｂをテント底部３まで延出し、その下端部がテント底部３の周縁部に帯状の縁まわりテープ４を介在させ両者を直接接合させる。このため、従来のテントに在るテント底部３からの底部立上り部が形成されない。
【００３９】
図２に示すように、このテント底部３の周縁部で、テント前後面部１ａ，１ａおよびテント左右側面部１ｂ，１ｂの間に、帯状の縁まわりテープ４が介在される。そして、テント四隅部で、テント稜線６の先端と帯状の縁まわりテープ４の突合せ部に、テントポールを装着するポール係止孔（グロメット）５ａとテントポール差しのポール係止片５とが取り付けられている。このポール係止孔（グロメット）５ａは、テント稜線６の先端で、帯状の縁まわりテープ４の突合せ部に位置し、ポール２ａ，２ｂを挿着すると、張力が働き帯状の縁まわりテープ４が直線方向に緊張する。この緊張によって、底部と地面との隙間が無くなり、テント底部３から外風の進入が少なくなり、結露の発生が抑止される。
【００４０】
また、該テント底部３の周縁部内側には、図４から図７に示すように、帯状で防水性の目止めテープ９が接合部分に被着される。目止めテープ９は、帯状の縁まわりテープ４を介在させた状態でテント前後面部１ａ，１ａ及び前記テント左右側面部１ｂ，１ｂを前記テント底部３に縫合または接着により一体に接合する内側で、接合部を密閉して接合部からの水の浸入を防止する。
【００４１】
テント前後面部１ａの一方には入口７が設けられ、この入口７には、図５に示すように、ジッパー等により開閉可能な開閉部（開閉蓋）８が設けられている。入口７の下部には、入口開放時に巻上げられた開閉部８を結束する結束部品１０が取り付けられている。
【００４２】
また、テント四隅のポール係止孔（グロメット）５ａの先端には、図３に示すように、テント前後面部１ａ，１ａとテント左右側面部１ｂ，１ｂの接続部（隅部）下端に対応する位置に、テントポール差しのポール係止片５が取り付けられている。このポール係止片５は、テント前後面部１ａとテント左右側面部１ｂの稜線６上の位置で、各帯状の縁まわりテープ４の先端が交差する位置に突出した形で配設される。
【００４３】
上記各帯状の縁まわりテープ４の先端が突き合わされて交差する位置（突合せ部）には、テントポール２ａ、２ｂの下端を挿入状態で保持するポール係止孔５ａが設けられている。このポール係止孔５ａは、各帯状の縁まわりテープ４が交差する部位に穿設され、テントポール２ａ，２ｂを挿入することで、テントポール２ａ，２ｂの弾性によって、縁まわりテープ４に緊張を付与し、縁まわりテープ４を直線状に強力に張る。これによって、テント本体を設営したとき、帯状の縁まわりテープ４がテント設置地面に沿うように敷設することができる。
【００４４】
また、ポール係止孔５ａは、帯状の縁まわりテープ４が交差する部位にあるので、外風で浮上することがない。これによって、テント本体１を設営したとき、帯状の縁まわりテープ４がテント設置地面に沿うように敷設することができるのと併せて、浮き上がりを防止する。これによってテント底部３に冷風Ｓの進入が阻止され、温度差が生じる現象が抑えられ、テント内の結露の発生が押えられる。
【００４５】
次に、テント前後面部１ａ，１ａ並びにテント左右側面部１ｂ，１ｂと、テント底部３の接続構造を説明する。
【００４６】
図４〜５は、請求項２に示す接合構造を示すものである。この接合は、図４に示すように、テント前後面部１ａ，１ａおよびテント左右側面部１ｂ，１ｂとテント底部３とを縫着９ｂ又は接着９ａなどにより接合する際に、縁まわりテープ４を屈曲して挟み込んで縫着９ｂ又は接着９ａで内側から接合する。更に目止めテープ９を内側から当接して接着剤などの接合手段で一体とする。このように、前記接合面部に防水性の目止めテープ９を当接させているので、接合部から水や風がテント内に浸入することがない。
接合方法は防水性の上から接着が好適である。
【００４７】
図５は、接合構造のポール係止片（グロメット）５の部分を示すものである。図５に示すように、テントの四隅部は、ポール係止孔５ａが穿設されているポール係止片（グロメット）５が配設されている。テント前後面部１ａ，１ａおよびテント左右側面部１ｂ，１ｂとテント底部３とを縫着９ｂ又は接着９ａなどにより接合する際に、帯状の縁まわりテープ４とポール係止片（グロメット）５を挟み込んで縫着９ｂ又は接着９ａで接合する。内側には、目止めテープ９を内側から当接して接合手段で一体とする。このように、ポール係止片（グロメット）５と帯状の縁まわりテープ４とが四隅部で強固に一体になっている。
帯状の縁まわりテープ４の突出幅は、テントの大きさにもよるが、約２〜５cm幅を残して介在されている。
【００４８】
図６は、請求項３に示す接合構造の他例を示すものである。この接合方法は、図６に示すように、テント底部３とテント前後面部１ａ，１ａおよびテント左右側面部１ｂ，１ｂとの接合が、前記各両端面縁部を重ね合せて突出させる。その重ね合せ部に帯状の縁まわりテープ４の両端縁部を折り曲げて、縁部を内側に折り返し、断面が略Ｕ字状の額片４ａを形成し、この縁まわりテープ４を前記本体両端面部突き合せ部に沿って被覆した状態で、それぞれ縫合４ｄ又は接着４ｃなどの手段により接合して一体とする。テント前後面部１ａ，１ａおよびテント左右側面部１ｂ，１ｂと、テント底部３との接合内側部に沿って被覆する形で防水性の目止めテープ９を当接させ、接着９ａして接合する。このように、防水性の目止めテープを当接させているので、接合部から水がテント内に浸入することがない。
【００４９】
図７は、請求項４に示す接合構造の他例を示すものである。この接合方法は、図７に示すように、テント底部３とテント前後面部１ａ，１ａおよびテント左右側面部１ｂ，１ｂとの接合が、前記各両端面縁部を重ね合せて突出させる。その重ね合せ部に帯状の縁まわりテープ４の両端縁部を折り曲げて断面が略Ｕ字状に形成した状態で、この縁まわりテープ４を前記各両端合せ部に沿って被覆し、この状態で縫合４ｄ又は接着４ｃなどの手段により接合して一体とする。テント前後面部１ａ，１ａおよび前記テント左右側面部１ｂ，１ｂと、テント底部３との接合内側部に沿って被覆する形で防水性の目止めテープ９を当接させ、接着９ａして接合する。このように、防水性の目止めテープを当接させているので、接合部から水がテント内に浸入することがない。
【００５０】
本発明では、帯状の縁まわりテープ４をテント底部周辺に配設することによって、テントポール２ａ、２ｂは両端がポール挿入孔５ａに挿入され、かつ保持された状態では、自身の突っ張り作用により、それぞれ交差部が最上位となるように、円弧状に持ち上げられる。このため、このテントポール２ａ、２ｂの突っ張り力を受けて、各グロメット５、５間の帯状の縁まわりテープ４に緊張力が作用する。この結果、帯状の縁まわりテープ４は直線状に緊張し、テント設営中は地面に接して浮き上がらない。従来の立ち上り部１７およびこれに連続するテント底部１５周辺のように円弧部Ｐを形成して地面から浮き上がることがない。
【００５１】
これらの実施の形態では、テント本体１のテント前後面部１ａ，１ａおよびテント左右側面部１ｂ，１ｂの全体が耐水・透湿層シートを一体に接合したコーティング加工の素材シートのテント本体生地で作られ、テント底部３のみが完全防水性の加工素材で形成されている。耐水・透湿層シートを底部まで一体に接合して底部材料として使用することも可能である。
【００５２】
前記テント本体生地素材としては、ナイロンやテトロンの合繊生地や天然繊維生地に、耐水・透湿処理を施したコーティング加工の素材シートの生地が用いられる。従って、テント前後面部１ａ，１ａおよびテント左右側面部１ｂ，１ｂを完全防水処理した場合とは異なり、テント内外の温度差を少なめに抑えて、前記結露の発生を抑えることができる。
【００５３】
また、冷たい外風Ｓがテント本体１に吹付ける場合においても、帯状の縁まわりテープ４が設営地面に沿うようにテント底部外周に配設されているため、テント底部３と地面との隙間が発生し難く、図９に示すような外風Ｓが流れ難くなる。従って、テント前後面部１ａ，１ａおよびテント左右側面部１ｂ，１ｂの下端部と、テント底部３の周辺部のみが集中的に冷却されるのを回避できる。この結果、従来型のテントのような完全防水性の立上り部１７を設けた場合に比べて、対応部位の内面に結露が発生し難くなる。
【００５４】
更に、テント底部３は、テント前後面部１ａ，１ａ及びテント左右側面部１ｂ，１ｂと同様のコーティング加工による耐水性・透湿加工素材のテント本体生地に防水処理を施したもの等で形成されている。この接合部の内側に当接されている防水性の目止めテープ９で、接合部分からの水の浸入が防止される。
このようにテント本体の生地の薄さと耐水度を考慮に入れて製作されているので、とくにテントの底地の部分は耐水度を保つようにするため、素材に高密度ナイロン４０ｄ、防水地対水圧３０００ｍｍの生地を使用する。に加えて縫着部分を地面に接して設けている。
この点、従来のテント底部は、図９に示すように、底部の立ち上がりを約３０cm位にして風呂敷に布団を包んだようなふくらみで底部の形状が分からないような状態であるから、テント底部へ強風が当たるとテントが安定せず弱いところがあり、テントの原型を保ち続けるのが不可能で、風雨にも弱いのが現状であった。
本発明に係る縁まわりテープを底部周辺に取り巻き装着することによって、強度を増し、テント底部がテント設置地面に沿うように敷設できるため、風の侵入が阻止サレ、テント底部の浮き上がりを防止し、テント内の温度差と、結露も最小限に抑えることが可能になった。
【００５５】
また、外から雨水が入りやすいため、テント生地の縫着部分の加工技術が難しいため、できる限りテント底部の縫製箇所を少なくするのが課題であった。旧来のフライシート付テントの場合、フライシートに雨が連続して長時間降られて濡れると、フライシートの生地が濡れて水分を含んでたるみが出て撥水のテント本体生地に重なり、通気と防水が悪くなってしまう欠点が解消された。併せて本体底部立上り部（バスタブ）の完全防水処理の素材的欠点により、大きく結露が発生する原因も解消された。
【００５６】
本テント１では、従来型のテントにおけるようなテント底部立ち上がり部（バスタブ）１７を無くすることで、テント前後面部１ａ，１ａ及びテント左右側面部１ｂ，での結露の発生量を大きく抑えることが出来る。従って、テント内に設置した衣類などがテント前後面部１ａ及びテント左右側面部ｌｂの内側に通常付着する水滴により濡れるのを効果的に防ぐことが出来る。コーティング加工による耐水圧・透湿加工素材のシートを一体に接合縫着した耐水・透湿シートでテント本体生地を形成し、本素材をテント底部まで延出することにより完全防水生地素材の素材的欠点の大きな結露発生原因となる生地素材の使用をしないで済んだ。底部立ち上がり部（バスタブ）を無くし底の周りに縁回りテープが出来た為、結露を大きく抑え外部とテント内部の温度コントロールが可能となり、テント内の温度・湿度が安定して居住快適性に優れた環境が生まれ、快適なテント生活が出来るようになった。さらにまた底部周囲の帯状の縁回りテープによりテント底部全体が地面にしっかり密着し特に良く安定する為、テント底部と地面の間に外風が入るのを防いでテント内の温度と外気温度差が大きくならない様にする効果が大きい。この為テント内外温度差が大きくならず、テント内部に於ける結露発生を最大限抑制可能となり、テント生活がより快適となる効果が高くなった。
【００５７】
更に、テント底部３は、テント前後面部１ａ，１ａ及びテント左右側面部１ｂ，１ｂと同様のテント本体生地に、防水処理を施したもの等で形成されている。この接合部の内側の防水性の目止めテープ９で、接合部分からの水の浸入が防止される。この目止めテープ９は、耐水性と、引っ張り強度の高いベルト状部材から構成される。
【００５８】
山岳用テントでは、従来型のテントにおけるような立上り部（バスタブ）１７を無くすることで、テント前後面部１ａおよびテント左右側面部１ｂでの結露の発生量を少なめに抑えることができる。従って、テント内に設置した衣類などがテント前後面部１ａやテント左右側面部１ｂの内側に付着した水滴により濡れるのを、効果的に防ぐことができる。
【００５９】
前記構成のテント本体１は、より以上の居住空間と、雨天の時などの快適な使用条件を目的として、使用時期に合せてナイロン又はテトロン素材に防水加工及び撥水加工を施したフライシートか或いは寒冷な冬期においては外張りを併用することで、テント本体の温度及び湿度を適切にコントロールすることができる。
【００６０】
このように、本発明では、合成繊維または天然繊維で構成された薄い柔軟性のある生地に、所定の耐水圧および透湿性能を持つ耐水・透湿層を一体に設けてテント本体生地とし、このテント本体生地で、テント底部３を除くテント前後面部１ａおよびテント左右側面部１ｂを形成した。
【００６１】
これにより、テント前後面部１ａおよびテント左右側面部１ｂの下部とテント底部３周辺とが連続する部位に、完全防水性の立ち上り部を設ける必要がなくなり、テント本体１が冷たい外風を受けた場合にも、この風を受けた部位を中心として、テント全体における内外の温度差が極端に大きくなるのを回避できる。
【００６２】
従って、テント内面における結露発生を抑制し、テント底部３周辺のザックや衣料等が水滴に触れて濡れることを防止できる。また、軽量で嵩張らないため、山岳用テントとしての利用に好適である。
【図面の簡単な説明】
【００６３】
【図１】本発明の実施の形態に係るシングルドームテントの斜視図。
【図２】図１に示すテント底部の平面図。
【図３】図１に示すポール係止孔と縁まわりテープの緊張関係を示す拡大図。
【図４】本発明に係る縁まわりテープとテント底部の接合の一例を示す拡大断面図。
【図５】図４に示すポール係止孔と縁まわりテープの緊張関係を示す拡大断面図。
【図６】本発明に係る縁まわりテープとテント底部の接合の他例を示す断面図。
【図７】本発明に係る縁まわりテープとテント底部の接合の他例を示す断面図。
【図８】従来のテントを示す斜視図である。
【図９】図８に示すテントの立ち上り部（Ａ）の拡大説明図。
【符号の説明】
【００６４】
１…テント本体、１ａ…テント前後面部，１ｂ…テント左右側面部、２ａ，２ｂ…テントポール、３…テント底部、４…帯状の縁まわりテープ、５…ポール係止片、５ａ…ポール係止孔、７…ロープ、６…ロープ支持部材、８…開閉シート、９…目止めテープ
【図１】
2006207350.tif 000003
【図２】
2006207350.tif 000004
【図３】
2006207350.tif 000005
【図４】
2006207350.tif 000006
【図５】
2006207350.tif 000007
【図６】
2006207350.tif 000008
【図７】
2006207350.tif 000009
【図８】
2006207350.tif 000010
【図９】
2006207350.tif 000011